(57)【要約】  照明デバイス及び関連する制御方法であり、前記デバイスは、照明を供給するための少なくとも１つの光源と、電動のものであり、独立して電源オン状態と電源オフ状態との間で制御可能である少なくとも第１モジュール及び第２モジュールとを含む。前記デバイスのためのプロファイルのデータが記憶され、各プロファイルは、前記少なくとも第１モジュール及び第２モジュールのための電力状態を定義し、前記第１モジュール及び第２モジュールのための前記電力状態は、メモリに記憶され、選択されたプロファイルに対応するよう制御される。前記選択されたプロファイルは、前記デバイス上のセンサからの出力、又は受信される制御信号などのトリガ事象に基づいて選択され得る。
2019526149.tif 000002
【特許請求の範囲】
【請求項１】
複数の照明デバイス電力状態において動作可能な照明デバイスであって、前記照明デバイス電力状態の各々が、前記照明デバイスの異なる機能をサポートし、前記照明デバイスが、
照明を供給するための少なくとも１つの光源と、
電動のものであり、独立して電源オン状態と電源オフ状態との間で制御可能である少なくとも第１モジュール及び第２モジュールと、
各電力プロファイルが、前記少なくとも第１モジュール及び第２モジュールのためのモジュール電力状態を定義することによって、前記複数の異なる照明デバイス電力状態のうちの１つを定義する、電力プロファイルのデータを記憶するためのメモリと、
前記メモリに記憶された電力プロファイルに対応するよう前記第１モジュール及び第２モジュールの前記モジュール電力状態を制御し、それによって、前記複数の照明デバイス電力状態のうちの１つにおいて動作するよう前記照明デバイスを制御するよう適合されるコントローラとを有し、
前記コントローラが、更に、１つ以上のトリガ事象に応じて、前記第１モジュール及び／又は第２モジュールの前記モジュール電力状態を変更し、それによって、前記照明デバイスが動作する前記照明デバイス電力状態を変更するよう適合される照明デバイス。
【請求項２】
前記第１モジュールが、前記デバイスを制御するための制御信号を受信するよう適合される通信モジュールである請求項１に記載の照明デバイス。
【請求項３】
前記第２モジュールが、センサである請求項１又は２に記載の照明デバイス。
【請求項４】
前記センサが、動きセンサ、光センサ、温度センサ、湿度センサ、ガスセンサ、オーディオセンサ又は画像センサのうちの１つである請求項３に記載の照明デバイス。
【請求項５】
トリガ事象が、前記デバイスの１つ以上のセンサからの出力である請求項３に記載の照明デバイス。
【請求項６】
トリガ事象が、受信される制御信号である請求項１に記載の照明デバイス。
【請求項７】
前記コントローラが、前記記憶された電力プロファイルの中から、電力消費が最も少なく、且つ前記照明デバイスの要求される前記機能を依然として満たす前記電力プロファイルを選択するよう適合される請求項１に記載の照明デバイス。
【請求項８】
複数の照明デバイス電力状態のうちの１つにおいて動作するよう照明デバイスを制御する方法であって、前記照明デバイス電力状態の各々が、前記照明デバイスの異なる機能をサポートし、前記照明デバイスが、照明を供給するための少なくとも１つの光源と、電動のものであり、独立して電源オン状態と電源オフ状態との間で制御可能である少なくとも第１モジュール及び第２モジュールとを有し、前記方法が、
電力プロファイルのデータを記憶するステップであって、各電力プロファイルが、前記少なくとも第１モジュール及び第２モジュールのためのモジュール電力状態を定義することによって、前記複数の異なる照明デバイス電力状態のうちの１つを定義するステップと、
１つ以上のトリガ事象を検出するステップと、
検出された前記１つ以上のトリガ事象に応じて、記憶された前記電力プロファイルの中から電力プロファイルを選択するステップと、
選択された前記電力プロファイルに対応するよう前記第１モジュール及び第２モジュールの前記モジュール電力状態を制御し、それによって、前記複数の照明デバイス電力状態のうちの１つにおいて動作するよう前記照明デバイスを制御するステップとを有する方法。
【請求項９】
前記第１モジュール及び第２モジュールのうちの少なくとも１つが、センサであり、トリガ事象が、前記デバイスの１つ以上のセンサからの出力である請求項８に記載の方法。
【請求項１０】
前記第１モジュール及び第２モジュールのうちの少なくとも１つが、通信モジュールであり、トリガ事象が、受信される制御信号である請求項８に記載の方法。
【請求項１１】
電力プロファイルを選択するステップ、及び前記デバイスの前記照明デバイス電力状態を制御するステップが、他のデバイスの出力に基づいて実施される請求項１０に記載の方法。
【請求項１２】
電力プロファイルを選択するステップが、ルールに基づく論理を用いて複数のトリガ事象を組み合わせるステップを含む請求項９乃至１１のいずれか一項に記載の方法。
【発明の詳細な説明】
【技術分野】
【０００１】
本開示は、照明デバイス及び照明システムにおける電力の制御に関し、とりわけ、このようなデバイス及びシステムのためのスタンバイ状態などの低電力状態に関するが、これに限定されない。
【背景技術】
【０００２】
照明を提供するための照明及び照明システムは、ますます高機能になってきており、複数の照明デバイス又は照明器具が、所謂「接続照明」システムにおいて一緒に接続され、部屋などの空間の照明を供給するよう個々に又は１つ以上のグループにおいて制御され得る。このようなシステムにおいては、各照明器具は、一般に、例えばシステムコントローラ又は他の照明器具との通信のための制御電子回路を含み、照明がオフであるときでも、通信は維持される必要があるので、このような電子回路は電力を消費する。照明器具が、電源から完全に切り離される場合には、通信は不可能であり、照明器具はシステム対応とならない。
【０００３】
EP 2717655 A1は、ユーザ操作可能なスイッチが作動され、照明がオンにされ、最初の占有信号が受信されたら、無線受信機が、周期的に、占有信号の送信が期待されるときにしか、作動されない照明制御システムを開示している。これは、絶え間なく給電される無線受信機より少ない電力しか使用しない。
【０００４】
US 2011/0074225 A1は、動きが検出されないために照明をオフに切り替える際の遅延がアクティブである期間中、動きセンサをオフに切り替え、それによってエネルギを節約することを開示している。
【発明の概要】
【発明が解決しようとする課題】
【０００５】
とりわけスタンバイモードにおいて電力消費が少ない照明デバイス又はデバイスのシステムを提供することができることは望ましい。様々な状態においてデバイスの電力消費の制御の粒度がより細かいことは更に望ましい。
【課題を解決するための手段】
【０００６】
本発明の第１の態様によれば、照明を供給するための少なくとも１つの光源と、電動のものであり、独立して電源オン状態と電源オフ状態との間で制御可能である少なくとも第１モジュール及び第２モジュールと、各プロファイルが、前記少なくとも第１モジュール及び第２モジュールのための電力状態を定義する、プロファイルのデータを記憶するためのメモリと、前記メモリに記憶されたプロファイルに対応するよう前記第１モジュール及び第２モジュールの前記電力状態を制御するよう適合されるコントローラとを有する照明デバイスが提供される。
【０００７】
このようにして、単一の照明デバイスに対して複数の異なる電力状態が可能であり、前記電力状態に応じて異なる機能が可能である。逆に、所与の要求される機能（前記機能は時間とともに変化し得る）に対しては、電力消費を最小にする電力状態が採用され得る。
【０００８】
実施例においては、前記第１モジュールは、前記デバイスを制御するための制御信号を受信するよう適合される通信モジュールであり、随意に、前記第２モジュールは、センサである。しかしながら、モジュールの複数の異なる組み合わせが可能であり、実施例は、例えば、２つ以上のセンサを含んでもよく、センサを全く含まなくてもよい。あり得るモジュールの他の例は、例えば、（DALIインターフェースなどの）照明制御インターフェース、スピーカ、又は暖房／冷房／換気の構成要素が含むが、照明デバイスに組み込まれ得る、又は照明デバイスによって給電され得るあらゆる電力消費構成要素が考慮に入れられ得る。
【０００９】
前記光源及び／又はこのような光源のためのあらゆるドライバも、独立して、電力状態を制御されることができ、電力プロファイルのデータは、前記コントローラによって制御され得るドライバ及び光源の電力状態を設定するための情報を含み得る。
【００１０】
センサは、動きセンサ（例えば、PIRセンサ）、光センサ、温度センサ、湿度センサ、ガスセンサ、オーディオセンサ又は画像センサなどの任意のタイプのセンサであり得る。単一のデバイスに複数の異なるタイプのセンサが含まれてもよく、且つ／又は単一のデバイスが複数の同じタイプのセンサを含んでもよい。
【００１１】
幾つかの実施例によれば、前記コントローラは、１つ以上のトリガ事象に応じて、前記第１モジュール及び／又は第２モジュールの前記電力状態を変更するよう適合される。このやり方においては、トリガ事象が検出されることができ、前記メモリに記憶された前記プロファイルのデータに基づいて、適切な記憶されたプロファイルが決定されることができ、前記モジュールの各々の前記電力状態が、そのプロファイルに対して定義された状態に設定される。
【００１２】
実施例においては、トリガ事象は、前記デバイスの１つ以上のセンサからの出力である。従って、センサが、給電され、動作可能である実施例においては、（検出される範囲内の人若しくは動物の動き、又は或る特定のしきい値を上回るレベルのCO2の検出などの）事象の検出が、そのデバイスを、異なる電力状態に入らせ得る。典型的には、これは、照明を供給するよう更なるモジュール及び／又は光源の電源を入れることなり、前記デバイスが、前記デバイスが属する、他の同様の照明デバイスを含み得るシステムの別のデバイス又はコントローラに制御信号を送信することももたらし得る。
【００１３】
実施例においては、トリガ事象は、受信される制御信号である。前記制御信号は、（例えば、BMSコントローラなどの照明システムの）コントローラから、又は随意にコントローラを介して、別の照明デバイスから、受信され得る。前記制御信号は、例えば、別のデバイスの電力プロファイルの変化、別のデバイスの照明状態などの状態の変化、又は別のデバイスのセンサの出力を示してもよい。
【００１４】
制御信号が、採用されるべき電力プロファイルを指定してもよく、又は照明デバイス若しくはシステムコントローラが、一般にトリガ事象によって変えられ得るデバイスの要件に基づいて、適切な又は最も適切な電力プロファイルを決定してもよい。言い換えると、デバイス又はシステムコントローラが、受信される制御信号に基づいて、随意にデバイスの以前の状態にも基づいて、適切な電力プロファイルを導き出してもよい。
【００１５】
実施例においては、電力プロファイルは、記憶されたあり得る前記プロファイルの中から、トリガ事象に応じて、デバイスの要求される機能に基づいて、選択される。前記要求される機能は、とりわけ、システム又は施設内の前記デバイスの位置、前記デバイスの以前の状態又は機能、システム内の他のデバイスの状態及び機能、並びに前記デバイスが一部であるシステムを支配する全体的なルール又は論理に依存し得る。前記要求される機能に基づいて、どのモジュールが動作する必要があるかが決定され、最も少ない電力を消費するが、必要とされるモジュールへの電力を保つ電力プロファイルが選択される。
【００１６】
本発明の他の態様によれば、照明を供給するための少なくとも１つの光源と、電動のものであり、独立して電源オン状態と電源オフ状態との間で制御可能である少なくとも第１モジュール及び第２モジュールとを有する照明デバイスを制御する方法であって、前記方法が、プロファイルのデータを記憶するステップであって、各プロファイルが、前記少なくとも第１モジュール及び第２モジュールのための電力状態を定義するステップと、１つ以上のトリガ事象を検出するステップと、検出された前記１つ以上のトリガ事象に応じて、記憶された前記プロファイルの中からプロファイルを選択するステップと、選択された前記プロファイルに対応するよう前記第１モジュール及び第２モジュールの前記電力状態を制御するステップとを有する方法が提供される。
【００１７】
実施例においては、前記第１モジュール及び第２モジュールのうちの少なくとも１つは、センサであり、トリガ事象は、前記デバイスの１つ以上のセンサからの出力である。他の実施例においては、前記第１モジュール及び第２モジュールのうちの少なくとも１つは、通信モジュールであり、トリガ事象は、受信される制御信号である。
【００１８】
本発明の更に他の態様は、複数の照明デバイスを有する照明システムを制御する方法であって、各前記デバイスが、照明を供給するための少なくとも１つの光源と、電動のものであり、独立して電源オン状態と電源オフ状態との間で制御可能である少なくとも第１モジュール及び第２モジュールとを有し、前記方法が、各照明デバイスにおいてプロファイルのデータを記憶するステップであって、各プロファイルが、前記少なくとも第１モジュール及び第２モジュールのための電力状態を定義するステップと、１つ以上のトリガ事象を検出するステップと、検出された前記１つ以上のトリガ事象に応じて、記憶された前記プロファイルの中から少なくとも１つの照明デバイスのためのプロファイルを選択するステップと、選択された前記プロファイルに対応するよう前記少なくとも１つの照明デバイスの前記第１モジュール及び第２モジュールの前記電力状態を制御するステップとを有する方法を提供する。
【００１９】
実施例においては、第１デバイスのためのプロファイルを選択するステップ、及びその第１デバイスの前記電力状態を制御するステップは、第２デバイスの出力に基づいて実施される。従って、或る照明デバイスの出力は、第２照明装置のためのトリガ事象として機能し得る。前記第１デバイスからの出力は、例えば、センサ出力、照明出力の変化、又は電力プロファイルの変化を示してもよく、又はそれに応答してもよい。
【００２０】
実施例においては、前記システムの異なる照明デバイスには異なる電力プロファイルのデータが記憶されてもよく、記憶される１つ以上の前記電力プロファイルは、前記システム内の前記照明デバイスの位置に依存してもよい。
【００２１】
本発明は、本明細書に記載されている方法のいずれかを実行するための、及び／又は本明細書に記載されている装置特徴のいずれかを具現化するためのコンピュータプログラム及びコンピュータプログラム製品、並びにコンピュータ可読媒体であって、本明細書に記載されている方法のいずれかを実行するための、及び／又は本明細書に記載されている装置特徴のいずれかを具現化するためのプログラムを、前記コンピュータ可読媒体上に記憶しているコンピュータ可読媒体も提供する。
【００２２】
本発明は、実質的に、添付の図面を参照して本明細書に記載されているような、方法、装置及び／又は使用に及ぶ。
【００２３】
本発明の或る態様における如何なる特徴も、任意の適切な組み合わせで、本発明の他の態様に当てはまり得る。とりわけ、方法の態様の特徴は、装置の態様に当てはまるかもしれず、逆もまた同様である。
【００２４】
更に、ハードウェアにおいて実現される特徴は、一般に、ソフトウェアにおいて実現されてもよく、逆もまた同様である。本明細書のソフトウェア及びハードウェアの特徴に対する如何なる言及も、それに応じて解釈されるべきである。
【図面の簡単な説明】
【００２５】
ここで、単なる例として添付図面を参照して、本発明の好ましい特徴について説明する。
【図１】照明デバイスの概略図である。
【図２】プロファイルデータを表形式で示す。
【図３】空間内に取り付けられる照明システムを図示する間取り図である。
【図４】図３の空間に入る人を示す。
【図５】図４の空間の展開を示す。
【図６】システム構成要素間の通信を示すシステム図である。
【図７】照明デバイスの制御を図示するフローチャートである。
【発明を実施するための形態】
【００２６】
図１を参照すると、電力バス１０２に接続されるドライバ１１４と、ドライバによって駆動される光源１１６とを含む照明器具又は照明デバイス１００が概略的に示されている。光源は、例えばLEDであってもよく、又は個々に制御可能であり得るLEDのグループであってもよい。照明デバイスごとに２つ以上の光源が設けられてもよく、随意に、２つ以上のドライバによって駆動されてもよい。ランプのような他の光源も可能である。
【００２７】
電力バスは、一般に、主電源に接続され、第１及び第２センサ１０４及び１０６、通信モジュール１０８、メモリ１１０並びにプロセッサ１１２を含む、照明デバイス内の他のモジュール又はユニットに給電する。この例においては、プロセッサ１１２を除いて、バス１０２によって給電される全てのユニット又はモジュールは、スイッチ１２０（明確にするために図１２においてはスイッチのうちの２つしかラベル表示されていない）によって、個別に、バスに接続されることができ、バスから切り離されることができる。従って、モジュール１０４、１０６、１０８、１１０及び１１４の各々は、プロセッサ１１２の制御の下で破線１２２によって示されている制御信号を介して独立して電源を入れられ得る又は切られ得る。
【００２８】
第１及び第２センサが示されているが、例においては、２つ以上のセンサ若しくは１つのセンサが設けられてもよく、又はセンサが設けられなくてもよい。あり得るタイプのセンサは、（PIRセンサなどの）動きセンサ、周囲光レベルを検出するための光センサ、温度センサ、湿度センサ、CO2センサなどのガスセンサ、粒子測定センサ、オーディオセンサ、及びカメラなどの画像センサを含む。用途又は状況に応じて、複数のセンサタイプの様々な組み合わせが可能であるが、この例においては、センサ１は動きセンサであり、センサ２は画像センサである。
【００２９】
通信モジュール１０８は、デバイスが、他のデバイス、並びに／又は照明コントローラ及び／若しくはビル管理システム（BMS）などの中央コントローラと一般に無線で通信することを可能にするが、有線通信も可能である。無線通信の場合には、モジュールは、好ましくは、無線送受信機を含み、例えば、Wi-Fi、Bluetooth又はZigbeeなどのプロトコルを用いて、無線周波数を通じて通信を供給する。
【００３０】
メモリ１１０は、好ましくは、EPROM又はフラッシュメモリなどの不揮発性メモリであり、下でより詳細に説明する電力プロファイルを記憶するために用いられ得る。メモリ１１０内のデータは、図１において破線で示されているように、プロセッサ１１２によってアクセスされ得る。場合によっては、メモリ及びプロセッサは、単一のユニット又はチップに統合されてもよい。
【００３１】
スイッチ１２０は、一般に、バイポーラトランジスタなどのトランジスタであって、それらが供給する各々のモジュール又はユニットに適した電力スイッチングを制御することが可能なトランジスタである。スイッチ１２０は、電源を切られるべきモジュールを物理的に隔離する必要はないが、このようなモジュールがバス１０２からの電力を消費することを実質的に防止する。
【００３２】
各モジュール又は複数のモジュールがそれらの電力状態に関して個別に独立して制御可能であるよう構成することによって、単一のデバイスのための、各モジュールのスイッチ１２０の設定に従う、複数の異なる電力プロファイルが可能となることは理解されるだろう。
【００３３】
図２は、図１のデバイスの４つの異なる電力プロファイルを図示する表を示している。モジュールは、表内の各々のセル内の「x」によって、そのスイッチがオン状態に設定されている（即ち、電源をオンにされている）ものとして示されている。プロファイル１は、センサ１０４及び１０６の両方、並びにドライバ１１４が電源を切られている（この例においては、これらのモジュールによる電力消費が実質的にゼロであることを確実にするための電源からの分離に対応する）ディープスリープスタンバイ状態である。この例においては、メモリはプロセッサに統合されていると仮定されており、それ故、プロフィル１においては、プロセッサ（及びメモリ）並びに通信モジュールしか電源をオンにされていない。
【００３４】
このプロファイルは、依然として他のデバイス又は中央コントローラによって連絡可能でありながら、デバイスに可能な限り少ない電力消費をもたらす。このような状態における電力消費量は、0.5W以下であってもよく、0.3W以下であってもよい。
【００３５】
プロファイル２においては、プロファイル１と比べて、追加的に、動きセンサであるセンサ１が給電される。電力消費はプロファイル１よりも多いが、センサ２及びドライバは依然として電源を切られていることから、プロファイル２は依然として低電力状態とみなされる。プロファイル２にあるとき、デバイスは、例えば接近している人を検出することができ、この検出される情報は、デバイス及び／又は他のデバイスのプロファイルを変更するために用いられ得る。
【００３６】
プロファイル３においては、センサ１は電源を切られているが、センサ２はアクティブ電力状態にある。この例においては、センサ２は、デバイスに組み込まれるカメラである。従って、プロファイル３においては、画像記録は実施され得るが、ドライバ及びセンサ１は、電力消費が最小限に抑えられることを確実にするよう電源を切られる。
【００３７】
プロファイル４においては、デバイスの全てのモジュールが電源をオンにされ、両方のセンサが機能し、１つ以上の光源が動作することを可能にする。
【００３８】
プロファイル５は、通信モジュールは電源を切られているが、センサ１はアクティブなよう給電されたままである別のディープスリープ状態を示している。これは、下で説明するように或る特定のシステムアプリケーションにおいて有用であり得る。
【００３９】
電力プロファイルを表すデータは、各デバイスのメモリ１１０に記憶され得る。各デバイスにおいて全てのプロファイルが記憶される必要はなく、例えば、アプリケーションにおいて、特定の１つ以上のデバイスがプロファイル１及び４で動作することしか必要とされないと決定される場合には、これらのプロファイルしか記憶される必要がない。異なるデバイスは、モジュールの異なる組み合わせを含んでもよく、それ故、更に異なるプロファイルが設定又は記憶されてもよく、各デバイスに記憶されたプロファイルが必要に応じて選択されてもよい。
【００４０】
或る実施例においては或るデバイスでは或るプロファイルが必要とされない場合でも、例えばプログラミングの統一性のために、前記或るプロファイルは依然として記憶され得る。更に、プロファイルであって、例えばそのプロファイルが関係するモジュールが存在しないことから、関係のないプロファイルも記憶され得る。このようなプロファイルは、例えば、プロファイルの、関係のない部分を無視することによって、依然として用いられ得る。その場合、図２の例においては、センサ２（カメラ）を含まないデバイスに対してプロファイル４が設定される場合には、通信モジュール、センサ１及びドライバは電源をオンにされ、センサ２の電源をオンにするデータは関係のないものとして無視される。
【００４１】
１つ以上のプロファイルが、特定のモジュールとは関係なく規定されてもよく、例えば、「完全にオン」のプロファイルは、それらのモジュールが、何であれ、どんなに多くても、全てのモジュールが給電されるべきであることを規定し得る。「ディープスリープ」プロファイルは、通信モジュール並びにプロセッサ（及びメモリ）のみが給電されるべきであり、どんな他のモジュールが存在しても、他のモジュールは全て電源を切られるべきであることを規定し得る。
【００４２】
電力プロファイルは、或る特定の実施例においては、必要に応じてプログラム及び再プログラム又は更新されてもよい。例えば、空間内には、取り付け時に、又は直前若しくは直後に、複数の物理的に同一のデバイスが取り付けられることができ、異なるデバイスには、空間内のそれらの位置及び／又はそれらが実施すべきである機能に従って、異なる電力プロファイルがプログラムされ得る。電力プロファイルは、例えば通信モジュールを用いて、遠隔でプログラムされ得る。
【００４３】
図３は、照明システム内の多数の照明デバイスを示す例示的な間取り図である。図において示されている各数字は、天井に取り付けられる照明デバイスを表しており、数字の値は、そのデバイスが設定されている現在の電力プロファイルを表している。この例においては、プロファイルは図２のプロファイルに対応する。壁照明又は床照明のような更なるデバイス及び異なるタイプのデバイスが含まれてもよいが、簡略化のために天井照明又は照明器具しか示されていない。
【００４４】
図３において示されているように、照明システムは、廊下に通じる間仕切りのないオフィスエリア３０２を含むオフィス空間において用いられてもよく、廊下からアクセスされるのは４つの別々のオフィス３０４、３０６、３０８及び３１０である。出入口３１０は、間仕切りのないエリアに通じ、他の出入口３３０はオフィス３０６に通じる非常口を表している。
【００４５】
図３は、オフィス空間が用いられていないとき、例えば夜間における、システムのデフォルトの照明コンフィギュレーションを示している。照明デバイスの大多数は、電力消費が少ないディープスリープ状態であるプロファイル１に設定される。前述のように、この状態においては、デバイスは、通信モジュールを介して連絡可能であるが、１つ以上のドライバ及びどのセンサも電源を切られる。
【００４６】
１つの例外は、ドア３１０に隣接して配置されるデバイス３２０である。このデバイスは、デフォルト状態としてプロファイル２に戻るようプログラム又は制御され、このデバイスにはプロファイル１は記憶される必要はない。従って、デバイス３２０の動きセンサはアクティブである。また、デバイス３２２は、デバイスに組み込まれたカメラがアクティブのままであることを可能にするプロファイル３に設定され、カメラは、例えば、火災避難設備３３０をモニタするために用いられ得る。システム内の全てのデバイスがカメラ（又は動きセンサ）を有する必要はなく、カメラなしのものは、記憶されたプロファイル３を有さなくてもよく、又は単にプロファイル３をヌル設定として無視してもよいことに留意されたい。
【００４７】
図４は、人４４０がドア３１０（図３）を介してオフィス空間に入るときの、図３のオフィス空間を示している。プロファイル２に予め設定されているデバイス４２０は、ドア及び／又は人の動きを検出することができ、それに応じて、光源をオンに切り替えることを可能にするようドライバを作動させるプロファイル４に変わる。
【００４８】
デバイス３２０の機能を考慮すると、デバイス３２０は、通信モジュールは給電されず、従って、電力消費を更に減らすディープスリープ状態としてプロファイル５に設定されることもできることに留意されたい。このプロファイルにおいては、デバイス３２０は、遠隔から指示又は連絡されることはできないが、それでも出入口３１０における入場を検出することはでき、このトリガは、デバイスが検出された入場を示す情報を送信することを可能にするよう通信モジュールを作動させることができる。
【００４９】
人がオフィス空間に入るという事象の検出又は検知は、他のデバイスにも状態を変えさせる。これは、図４において破線の矢印によって示されているような、例えば、受信機４５２を介するデバイス４２０からビル管理システム（BMS）への通信を介するものであってもよい。その場合、BMSは、次に、他の破線の矢印によって示されているように、電力プロファイルを変えるよう、システム内の他の照明デバイスに制御信号を発行することができる。BMSは、照明システム以外のシステム、例えば、暖房又は換気システムを制御したいこともある。
【００５０】
他の例においては、図４において一点鎖線の矢印によって示されているように、デバイス４２０は、デバイス４０８などの他のデバイスと直接通信して、その電力プロファイルを変えてもよい。他のデバイスに状態を変えさせるために、通信方法の組み合わせが用いられてもよい。例えば、近くにあるデバイスは、直接更新されることができ、より遠くに位置するデバイスは、中央コントローラ又はBMSを介して更新されることができる。実施例においては、照明デバイスは、それらの状態が変えられない場合でも、別のデバイスのプロファイルを変える制御メッセージを伝えるためにリレーとして機能し得る。
【００５１】
図４の例においては、デバイス４２０によるドア４４０から入る人の検出又は検知というトリガ事象は、図４において破線の枠によって示されているデバイス４２０を直接囲むデバイスのプロファイル設定に変化をもたらす。これらのデバイスは、各デバイス内の動きセンサに給電するためにプロファイル１からプロファイル２に切り替えられる。このような事象トリガ変更は、ユーザの経路内の照明を順次作動させて電力増加状態にすることを可能にする。
【００５２】
トリガ事象はまた、廊下の端部に位置するデバイス４４４のプロファイルをプロファイル４に切り替え、光源及び両方のセンサをオンにすることを可能にする。これは、例えば、廊下の端部を、間仕切りのないセクションに入るユーザがそれを見ることができるように、照らすこと可能にすると共に、廊下の画像の記録を開始することを可能にする。
【００５３】
最後に、電力消費を減らすために、デバイス４２２のプロファイルは３から１に切り替えられる。これは、この施設においては、誰かがオフィスにいる場合には、火災避難設備は厳重にモニタされる必要はないと決定されるからであり得る。
【００５４】
図５は、人５４０が出入口から更にオフィス内へ移動するときの、図３及び図４と同じオフィス環境を示している。人が、デバイス５２４及び５２６の動きセンサによって検出されるよう、これらのデバイスの十分近くに移動したことが分かる（これらのデバイスは、それらの動きセンサが給電され、動作中にあることを可能にするために、電力プロファイル２に予め設定されていたことを思い出されたい）。これは、デバイス５２４及び５２６をトリガして、それらの光源（及び存在する場合にはセンサ２）に給電するために、電力プロファイル４に切り替えさせる。
【００５５】
同時に、デバイス５２４及び５２６のセンサによる動きの検出は、（破線の囲いによって示されている）隣接デバイスが予めプロファイル１にあった場合には、隣接デバイスをプロファイル２に切り替えさせる。予めプロファイル４にあった隣接デバイスは変えられないままにされる。このようにして、人がいる又はいたエリアが照明され、そのユーザが次に動き得る隣接エリアは、それらが必要に応じて照明を供給するよう切り替えられることができるように動きセンサを作動させる。
【００５６】
上記のように、トリガ事象は、デバイスに電力プロファイルを変えさせ得る。トリガ事象は、システムの１つ以上のデバイスのセンサからの検出事象であってもよいが、他のトリガ事象も、電力プロファイルの変更を引き起こし得る。
【００５７】
例えば、各デバイスは、タイマを含んでもよく、又は同様の意味合いで、タイマが、各デバイスのために、中央コントローラ又はBMSに設けられてもよい。１つ以上のプロファイルにおいて費やされた時間がモニタされることができ（即ち、デバイスがプロファイルに入るときにタイマはリセットされることができ）、持続時間が所定の値に達する又は超えるときに、デバイスのプロファイルが変えられる。このようなタイマの使用は、不活動期間（period of inactivity）後に、直接、又は他のプロファイルを繰り返すことによって、デバイスをより低いプロファイルに戻すことを可能にする。図３乃至５の例においては、間仕切りのないオフィスセクション３０２内のデバイスは、或る期間、例えば、１０分間、そのデバイスの動きセンサによって動きが検出されない場合には、プロファイル４からプロファイル２に切り替わるよう制御され得る。デバイスは、更に、そのデバイス又は隣接デバイスのセンサによって、１０分間、動きが検出されない場合には、プロファイル２からプロファイル１（又はそのデバイスの最も低いデフォルトプロファイル）に切り替わるよう制御され得る。
【００５８】
特定のデバイスは、不活動期間後に異なるプロファイルに戻るよう制御されてもよい。例えば、デバイス３２２は、或る持続時間後にプロファイル４からプロファイル３に戻り、決してプロファイル１には戻ることはないよう制御され得る。
【００５９】
他のトリガは、中央制御されてもよく、又はデバイス自体のクロックによって制御されてもよい、クロック設定（即ち、時刻）であり得る。デバイスは、例えば、１つ以上の決まった時間に必ず或る特定の電力プロファイルに戻るよう制御され得る。上記の例においては、システムのデバイスは、平日は毎日午後１０時に図３において示されているプロファイルに切り替わるようコンフィギュレーションされ得る。
【００６０】
上記の説明においては、１つ以上の照明デバイス及びトリガの制御は、典型的には、検出される動き又は時刻などの環境又は外部刺激に応じて、ほぼ自動化されている。トリガは、ユーザ又は照明コントローラからの照明コマンドであってもよいことにも留意されたい。例えば、ユーザは、照明デバイス、又はデバイスのブロック若しくはグループを、壁パネル又はモバイルユーザ端末からオンにしてもよく、又はユーザは、１つ以上のデバイスの照明状態が予め設定されている所定のシーン設定を呼び出してもよい。ユーザは、１つ以上の照明を手動でオフにすることを選んでもよい。このようなトリガは、影響を受けるデバイスが、まだ対応する電力力プロファイルにない場合には、光源及び関連するドライバが、各々、電源をオン又はオフにされる対応する電力プロファイルに変わることをもたらす。デバイスが光源に給電させることを可能にする複数のプロファイルが利用可能である場合には、他のプロファイルが予め指定されていなければ、これらのプロファイルのうちの最低電力が自動的に選択され得る。それ故、デバイスは、採用されるべきである特定の電力プロファイルを含む命令又は制御信号を受信してもよいが、特定の電力プロファイルを全く指定しない（例えば、光源をオン若しくはオフにする、又はセンサを作動させる若しくは停止させる）制御信号に基づいて、採用されるべき適切な電力プロファイルを決定してもよいことが分かる。この場合には、デバイスは、特定の状態においてデバイスに要求される機能に基づいて適切なプロファイルを決定する。決定されるプロファイルは、電力消費を最小にするルール、及び／又はデバイスが常に中央コントローラから連絡可能でなければならないというルールなどの、ルール又はルールのセットに基づき得る。
【００６１】
トリガは、論理ルールを用いて、組み合わせて用いられてもよく、故に、様々な状況がそれに応じて対応されることができ、デバイスは、状態間で移行することができる。照明デバイスは、所定のトリガに対して、照明デバイスが動作する照明デバイス電力状態を、現在の照明デバイス電力状態から所定の照明デバイス電力状態に切り替えるよう照明デバイスが制御されるようにプログラム又はコンフィギュレーションされ得る。換言すれば、メモリに記憶される同じプロファイルの幾つか又は全てを有し、随意に、同じモジュールの幾つか又は全ても有する複数の照明デバイスが、異なる役割で動作するようコンフィギュレーションされ得る。例として、照明デバイスは、通信モジュール及び存在センサモジュール（presence sensor module）を備えていてもよい。第１照明デバイスはドアの近くに取り付けられてもよく、第２照明デバイスはドアが通じる部屋の中に取り付けられてもよい。ドアの近くの照明デバイスは、「入口の役割」としてコンフィギュレーションされることができ、部屋の中の照明デバイスは、「後続の役割」としてコンフィギュレーションされることができる。ドアの近くの照明デバイスは、入口の役割としてコンフィギュレーションされているため、存在センサトリガの受信に基づいて、通信モジュールがオフであり、存在センサモジュールがオンである第１照明デバイス電力状態から、通信モジュールと存在センサモジュールとの両方がオンである第２照明デバイス電力状態に切り替わり得る。部屋の中の照明デバイスは、後続の役割としてコンフィギュレーションされているため、通信モジュールトリガの受信に基づいて、通信モジュールがオンであり、存在センサモジュールがオフである第３照明デバイス電力状態から、通信モジュールと存在センサモジュールとの両方がオンである第２照明デバイス電力状態に切り替わり得る。従って、ドアの近くのセンサは、存在がないときには通信モジュールの電源を切ることによって、エネルギを節約することができる。後に存在が検出されるときには、照明はオンにされることができ、通信モジュールを用いて部屋の中の照明デバイスにメッセージが送られ得る。従って、部屋の中の照明デバイスは、ドアの近くの照明デバイスからメッセージが受信されるまで存在センサモジュールの電源を切ることによって、エネルギを節約することができる。その場合、ドアを通過するユーザは、ドア近くの照明デバイスを存在の検出に基づいてオンにさせ、部屋の中の照明デバイスは、ドアの近くの照明デバイスが部屋の中の照明デバイスにメッセージを送信するため、オンにされる。次いで、ドアの近くの照明デバイスの存在センサモジュールと、部屋の中の照明デバイスの存在センサモジュールとの両方が、オンになり、照明デバイスの各々が存在を検出し続け、存在が検出される限り照明をオンに保つことを可能にする。
【００６２】
図６は、トリガ事象に応じてシステムの構成要素間で送信される制御信号の例を示すシステム図である。
【００６３】
図６の簡略化されたシステムは、壁パネル又はアプリケーション若しくはアプリを実行するモバイルデバイスなどのユーザ端末６０２を含む。システムは、照明ブリッジなどの照明コントローラであってもよく、又は例えばBMSであってもよいコントローラ６０４と、２つの照明デバイス６０６及び６０８とを更に含む。
【００６４】
ステップ６１０においては、照明デバイス６０６の動きセンサが、作動され、そのデバイスを、照明をオンにするよう光源が給電されるプロファイルに切り替えさせる。デバイス６０６は、同時に、（例えば、センサをオンにするために）異なる電力プロファイルに切り替えるために（この例においては隣接デバイスであり得る）デバイス６０８に信号を送信する。これは、図４に関して説明したのと同様のやり方で部屋に入るユーザに対応し得る。
【００６５】
ステップ６１２においては、ユーザは、例えば照明デバイス６０６及び６０８のための設定を含む部屋のための所定の照明コンフィギュレーションを呼び出すために、照明制御命令をユーザ端末に入力する。これは、コントローラ６０４に信号を送信し、コントローラ６０４は、各々、ステップＳ６１４及びＳ６１６においてデバイス６０６及び６０８に信号を送信する。ステップＳ６１２、S６１４及びS６１６は実質的に同時に行われてもよい。この例においては、デバイス６０６は、光出力は調節されるが同じ電力プロファイルのままである一方で、デバイス６０８からの照明が必要とされ、故に、これは、ドライバが電源をオンにされるより高い電力プロファイルに移行される。上記のように、電力プロファイルを調節するための制御信号は、もっぱらその目的のための専用信号であってもよく、又は照明出力状態を設定するための照明制御信号であってもよく、照明制御信号に基づいて対応する適切な電力プロファイルが決定され得る。換言すれば、システムは、部屋に入るユーザのための照明を自動的に供給するが、その照明は、その後、ユーザ入力によってオーバーライドされ得る。関係のある照明デバイスによって採用される電力プロファイルは、照明パターン及び状態が変わるのに従って適合する。
【００６６】
ステップＳ６１８においては、デバイス６０８において、例えば、設定された期間の間、デバイス６０８において動きが検出されなかったという、タイムアウト状態が生じたことが決定される。これは、デバイス６０８が、ドライバが電源を切られる低い電力プロファイルに切り替わり、信号がコントローラ６０４に送信されることをもたらし、コントローラ６０４は、デバイス６０６のためのタイマをリセットする。ステップＳ６２０においては、デバイス６０６のためのタイマが設定された期間に達し、コントローラは、デバイス６０６に信号を送信して、デバイス６０６を低い電力プロファイルに切り替える。これは、ユーザが部屋又は空間から離れた状態に対応することができ、コントローラは、論理ルールのセットを介して、システムを低電力状態に戻す。
【００６７】
図７を参照すると、例えば、図１の照明装置、又は図３乃至５における照明デバイスのうちの１つ以上のような照明デバイスを制御するプロセスが示されている。ステップＳ７０２においては、対象となっている照明デバイス又は各照明デバイスのために電力プロファイルが記憶される。
【００６８】
ステップＳ７０４においては、所定の事象のリストのうちの１つであり得る事象が検出されたかどうかが決定される。事象は、センサ出力のような照明デバイスにおいて検出されるものであってもよく、又は別のデバイス又はコントローラから受信される信号であってもよい。事象が検出されない場合には、デバイスは待機状態のままである。
【００６９】
事象が検出される場合には、プロセスはステップＳ７０６に進み、記憶されたプロファイルの中からプロファイルが選択される。プロファイルを選択するための考えられる方法は、上で述べられている。最後に、ステップＳ７０８においては、選択されたプロファイルに基づいて、照明デバイスの適切なモジュールが、そのプロファイルによって定義されているような電力状態に設定される。
【００７０】
図７のステップを含む、本開示に関連して説明された様々な例示的な論理ブロック、機能ブロック、モジュール及び回路は、随意にメモリ又は記憶媒体に記憶された命令と組み合わせて、本明細書に記載されている１つ以上の機能を実施するよう設計されている、汎用プロセッサ、デジタル・シグナル・プロセッサ（DSP）、特定用途向け集積回路（ASIC）、フィールド・プログラマブル・ゲート・アレイ（FPGA）若しくは他のプログラム可能論理回路（PLD）、ディスクリートのゲート若しくはトランジスタ論理回路、ディスクリートのハードウェア構成要素、又はそれらの任意の組み合わせによって実施又は実現され得る。プロセッサ１１２又はBMS４５０のようなプロセッサは、１つのコンピューティングデバイス又はコンピューティングデバイスの組み合わせ、例えばDSPとマイクロプロセッサとの組み合わせ、若しくは例えば複数のマイクロプロセッサとして実施され得る。逆に、別々に記載されている機能ブロック又はモジュールは、単一のプロセッサに統合されてもよい。本開示に関連して説明された方法又はアルゴリズムのステップは、ハードウェアにおいて直接実施されてもよく、プロセッサによって実行されるソフトウェアモジュールにおいて実施されてもよく、又はその２つの組み合わせにおいて実施されてもよい。ソフトウェアモジュールは、当技術分野で知られている任意の形態の記憶媒体内にあり得る。用いられ得る記憶媒体の幾つかの例は、ランダム・アクセス・メモリ（RAM）、リード・オンリ・メモリ（ROM）、フラッシュメモリ、EPROMメモリ、EEPROMメモリ、レジスタ、ハードディスク、リムーバブルディスク、及びCD-ROMを含む。
【００７１】
当業者は、請求項に記載の発明を実施する際に、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。請求項において列挙されている幾つかの要素の機能を、単一のプロセッサ又は他のユニットが果たしてもよい。単に、特定の手段が、互いに異なる従属請求項において挙げられているという事実は、これらの手段の組み合わせが有利になるように用いられることができないことを示すものではない。コンピュータプログラムは、他のハードウェアと一緒に又は他のハードウェアの一部として供給される光学式記憶媒体又は固体媒体のような適切な媒体上に記憶及び／又は分散されてもよいが、インターネット又は他の有線若しくは無線電気通信システムを介するような他の形態で分散されてもよい。請求項における如何なる参照符号も、範囲を限定するものとして解釈されてはならない。
【図１】
2019526149.tif 000003
【図２】
2019526149.tif 000004
【図３】
2019526149.tif 000005
【図４】
2019526149.tif 000006
【図５】
2019526149.tif 000007
【図６】
2019526149.tif 000008
【図７】
2019526149.tif 000009
【国際調査報告】
2019526149.tif 000010
2019526149.tif 000011
2019526149.tif 000012